(57)【要約】【課題】部品の固定が簡単にできスペースの確保が容易な表示装置を提供する。【解決手段】表示装置１は、導光体（部品）８０と、中ケース（筐体）４０と、表示板５０と、見返し部材６０と、を備え、導光体８０と中ケース４０との間には、いずれか一方に互いを嵌合して位置決めする凹部４１を設け、いずれか他方に凹部４１に嵌合する凸部８１が設けられる。さらに、見返し部材６０は、凹部４１および凸部８１で位置決めされた導光体８０を押えて中ケース４０に固定するように構成されている。【選択図】図１
2019060710.tif 000002
【特許請求の範囲】
【請求項１】
筺体と、
前記筐体に装着され、装飾の表示や光源からの光で照明を行う部品と、
前記筐体の前面側に設けられる見返し部材と、
前記筐体と前記見返し部材の間に設けられ、前記筐体の前面側を覆う表示板と、を備える表示装置であって、
前記部品と前記筐体との間には、いずれか一方に互いを嵌合して位置決めする凹部を設け、いずれか他方に前記凹部に嵌合する凸部が設けられ、
前記見返し部材は、前記凹部および前記凸部で位置決めされた前記部品を押えて前記筐体に固定する、
ことを特徴とする表示装置。
【請求項２】
前記見返し部材で押えられる前記部品との間には、前記見返し部材と前記部品のいずれか一方に前記凹部および前記凸部の嵌合位置で他方側に突き出して押える押え部を備える、
ことを特徴とする請求項１に記載の表示装置。
【請求項３】
前記表示板は、前記凹部および前記凸部の位置に合わせて前記凸部を貫通させる切り欠きまたは孔を備える、
ことを特徴とする請求項１または２に記載の表示装置。
【請求項４】
前記凸部が挿入される前記凹部には、前記凸部の挿入をガイドする誘導部を備える、
ことを特徴とする請求項１乃至３のいずれかに記載の表示装置。
【請求項５】
前記部品は、前記光源からの光を導光し、導光した光で前記表示板を透過照明する導光体で構成される、
ことを特徴とする請求項１乃至４のいずれかに記載の表示装置。
【発明の詳細な説明】
【技術分野】
【０００１】
本発明は、表示装置に関する。
【背景技術】
【０００２】
従来の表示装置として、例えば、特許文献１に開示された指示計器がある。
特許文献１に開示された指示計器は、ケース（筐体）と、ケースの前面に取り付けられ、目盛りや数値などを表示する表示板と、光源からの光を導光し、導光した光で表示板を透過照明する導光体と、を備えている。
指示計器では、導光体などのケースに取り付ける部品は、フックと係合爪とを係止することで固定するフック構造が採られるのが一般的である。
【先行技術文献】
【特許文献】
【０００３】
【特許文献１】特開２０１１−１３３４８４号公報
【発明の概要】
【発明が解決しようとする課題】
【０００４】
ケースに取り付ける部品をフックと係合爪とで固定するフック構造では、表示装置の部品の装着スペースに余裕がある場合には、何ら支障はないが、部品によっては、ケースの外周部などのわずかなスペースに固定する必要がある場合があり、フックと係合爪とのスペースの確保の問題や金型構造にも配慮しなければならないという問題がある。
【０００５】
本発明は上記実情に鑑みてなされたものであり、部品の固定が簡単にできスペースの確保が容易な表示装置を提供することを目的とする。
【課題を解決するための手段】
【０００６】
上記目的を達成するために、本発明に係る表示装置は、
筐体と、
前記筐体に装着され、装飾の表示や光源からの光で照明を行う部品と、
前記筐体の前面側に設けられる見返し部材と、
前記筐体と前記見返し部材の間に設けられ、前記筐体の前面側を覆う表示板と、を備える表示装置であって、
前記部品と前記筐体との間には、いずれか一方に互いを嵌合して位置決めする凹部を設け、いずれか他方に前記凹部に嵌合する凸部が設けられ、
前記見返し部材は、前記凹部および前記凸部で位置決めされた前記部品を押えて前記筐体に固定する、
ことを特徴とする。
【発明の効果】
【０００７】
本発明によれば、部品の固定が簡単にできスペースの確保が容易となる。
【図面の簡単な説明】
【０００８】
【図１】本発明の表示装置の一実施形態に係る左部分を省略した正面図、Ｂ−Ｂ断面図およびＣ−Ｃ断面図である。
【図２】本発明の表示装置の一実施形態に係る表示板を除いて示す左部分を省略した概略斜視図である。
【図３】本発明の表示装置の一実施形態に係るケースの左部分を省略した概略正面図図である。
【図４】本発明の表示装置の一実施形態に係る導光体の左部分を省略した表裏反転して示す概略斜視図である。
【図５】本発明の表示装置の一実施形態に係る見返し部材の左部分を省略した反転して示す概略正面図である。
【図６】本発明の表示装置の一実施形態に係る左部分を省略した図２中のＡ−Ａ断面図である。
【発明を実施するための形態】
【０００９】
本発明の一実施形態に係る表示装置を、図面を参照して詳細に説明する。
本実施形態の表示装置１は、例えば自動車や二輪車等の車両用の計器装置１００に組み込まれるものである。ここでは、まず、計器装置１００の構成を説明し、その後、表示装置１について説明する。
なお、以下の説明では、表示装置１および計器装置１００を正面視したときの（つまり、ユーザーが表示装置１を正面から見て計測値などの意匠部（指標部）を確認する場合の）視認側を「表」といい、背面側を「裏」という。
【００１０】
計器装置１００は、搭載される車両に関する各種情報を報知する複合計器として構成され、図１〜図３に示すように、右側に配置される第１計器部１０と、図示省略した左側に配置される第２計器部と、中央部に配置される表示ディスプレイ２０と、回路基板３０と、中ケース４０と、表示板５０と、見返し部材６０と、下ケース７０と、を備える。
【００１１】
（計器装置１００）
第１計器部１０は、例えば指針式のスピードメータであり、目盛り、数値等の図示しない意匠部（指標部）と、この意匠部（指標部）を指示する指針１１とを対比判読させることにより車速を報知する。指針１１は、その回転中心となる回転中心部から放射方向に突き出した指示部１１ａが、例えば、ＰＣ（Poly Carbonate）等の透明樹脂で一体に形成されている。回転中心部には、遮光性の所定の合成樹脂からなる指針キャップ１１ｂで覆われている。指示部１１ａは、指針用光源１２の光を受けて発光するものである。指針１１は、駆動部であるステッピングモータ１３の回転軸に連結されて回転駆動される。
【００１２】
図示しない左側に配置される第２計器部は、例えば、指針式のタコメータとされ、目盛り、数値等の意匠部（指標部）と、この意匠部（指標部）を指示する指針とを対比判読させることによりエンジンの回転数を報知する。第２計器部の構成は、上記の第１計器部１０と同様であり、その説明は省略する。
【００１３】
表示ディスプレイ２０は、液晶ディスプレイ（ＬＣＤ：Liquid Crystal Display）または有機ＥＬディスプレイ（ＯＥＬＤ：Organic Electro-Luminescence Display）等からなり、例えば、車両に関する各種情報を示す画像を表示する。一例として、表示ディスプレイ２０は、表示画像により走行距離を報知するオドメーターとして機能する。
【００１４】
回路基板３０は、例えば、ガラスエポキシ樹脂（Glass Fiber Reinforced Plastics）からなる絶縁性を有する板状の基材に各種配線がプリントされている。回路基板３０には、各種電子部品が実装されている。回路基板３０に実装される各種電子部品は、計器装置１００の各部の動作を制御する制御部（図示しないマイクロコンピュータ等）、指針１１を回転駆動するステッピングモータ１３、各種電子部品に接続される回路を構成する抵抗やコンデンサ、指針１１を照明する指針用光源１２や表示板５０を照明するための表示板用光源５１などである。
制御部は、計器装置１００の外部装置（例えば、車両のＥＣＵ（Electronic Control Unit））から車両の速度等の車両情報を取得し、取得した情報に基づいて、指針用光源１２や表示板用光源５１を点灯／消灯させたり、指針１１を回転駆動するステッピングモータ１３を動作させる。
【００１５】
中ケース４０は、回路基板３０の表側に位置し、複合計器を構成する第１計器部１０、第２計器部、表示ディスプレイ２０などを収納し、表示板５０などの計器装置１００を構成する部品を保持する。中ケース４０は、例えば、ポリプロピレン（Polypropylene）などの樹脂により白色に形成される。
【００１６】
表示板５０は、所定の樹脂、例えば、ポリカーボネイト樹脂により形成された透光性を有する板材と、この板材の表側及び／又は裏側に形成された遮光性の印刷層と、から構成されている。印刷層の一部は抜き文字状となっており、表示板５０において、指針１１の指示対象である数値、目盛り等の図示しない意匠部（指標部）を形成している。なお、抜き文字状の部分に、透光性の印刷層を形成しても良い。また、表示板５０には、表示ディスプレイ２０の表示領域を視認可能とするための開口部が設けられている。
【００１７】
計器装置１００は光源として指針用光源１２および表示板用光源５１を備える。指針用光源１２は、指針１１を発光させるためのものであり、表示板用光源５１は、表示板５０を透過照明するためのものである。指針用光源１２および表示板用光源５１は、例えば、ＬＥＤ（Light Emitting Diode）から構成される。指針用光源１２および表示板用光源５１は、回路基板３０の表側に実装されている。
指針用光源１２は、指針１１の回転中心部の軸線を中心とし、中ケース４０の中心部に円周上等間隔に並べて指針１１の回動範囲に対応して複数配置される。指針用光源１２からの光は、指針１１の回転中心部に入射され、指針１１の指示部１１ａを発光させる。
表示板用光源５１は、指針１１の回転中心部の軸線を中心とし、中ケース４０の中心部より外側の円周上に等間隔に並べて全周に複数配置される。表示板用光源５１からの光は、導光板５２を介して導光され、表示板５０を透過して意匠部（指標部）を照明する。
指針用光源１２と表示板用光源５１は、中ケース４０の円筒部で仕切られてそれぞれが遮光されて指針１１を発光し、表示板５０を照明する。
【００１８】
計器装置１００は、表示板５０の表側に見返し部材６０を備えており、計器装置１００の不要箇所を隠すようにしている。見返し部材６０は、例えば、ＡＢＳ（Acrylonitrile Butadiene Styrene copolymer）などの樹脂を用い、例えば、黒色とされて遮光性を有している。見返し部材６０には、第１計器部１０、第２計器部、及び表示ディスプレイ２０全体を覗かせる１つの開口部６１が設けられており、この開口部６１を塞ぐように透明板（図示せず）、例えば、ガラスが取り付けられている。
【００１９】
下ケース７０は、回路基板３０を挟んで中ケース４０の裏側に位置する。下ケース７０と、透明板で塞がれた見返し部材６０と、が組み合わされることで、略箱状になり計器装置１００の筐体を構成する。
【００２０】
この計器装置１００では、見返し部材６０と下ケース７０との固定は、図１（ｂ）および図６に示すように、従来と同様に、フック構造で固定される。見返し部材６０の裏側に向かって突き出す弾性フック６２と下ケース７０の表裏方向に貫通する枠状の係止枠７１とを係止することで固定される。すなわち、見返し部材６０には、外周の複数箇所に下ケース７０に固定するため弾性フック６２が一体に形成され、弾性フック６２に表側が平面とされた係止面６３が形成される。一方、下ケース７０には、表裏方向に貫通し、枠状の係止枠７１が一体に形成され、係止枠７１の裏側が係止面７２とされる。これにより、弾性フック６２を係止枠７１に挿入し、弾性フック６２の係止面６３と下ケース７０の係止面７２とを係止することで、見返し部材６０が下ケース７０に固定される。
また、表示板５０を透過照明する導光板５２も、見返し部材６０と同様に、フック構造（図１（ｂ）の見返し部材６０のフック構造を参照）で中ケース４０に固定されている。
【００２１】
このような計器装置１００によれば、表示板５０の意匠部（指標部）は、表示板用光源５１により透過照明がなされる。すなわち、指針１１の指示対象である数値、目盛り等の図示しない意匠部（指標部）が形成された表示板５０の裏側（背面側）に照明空間が形成される。照明空間には、回路基板３０上に、周上等間隔に表示板用光源５１が配置されている。
これにより、表示板用光源５１からの光は、導光板５２を介して照明空間に出射され、照明空間の形状によって均一な光として表示板５０の裏側から照射され、表示板５０の意匠部が透過照明する。
【００２２】
（表示装置１）
次に、本実施形態に係る表示装置１について説明する。
本実施形態の表示装置１は、図２に示すように、計器装置１００に組み込まれ、計器装置１００のデザイン性を高める加飾照明として用いられる導光体（部品）８０に適用されている。この表示装置１では、計器装置１００の上辺部に沿って導光体８０が配置され、透過照明することによってデザイン性を高める。
【００２３】
本実施形態では、表示装置１は、導光体（部品）８０と、中ケース（筐体）４０と、表示板５０と、見返し部材６０と、を備え、導光体（部品）８０と中ケース（筐体）４０との間には、いずれか一方に互いを嵌合して位置決めする凹部４１を設け、いずれか他方に凹部４１に嵌合する凸部８１が設けられる。さらに、見返し部材６０には、凹部４１および凸部８１で位置決めされた導光体（部品）８０を押えて中ケース（筐体）４０に固定するように構成されている。
また、見返し部材６０と、見返し部材６０で押えられる導光体（部品）８０との間には、見返し部材６０と導光体（部品）８０のいずれか一方に凹部４１および凸部８１の嵌合位置で他方側に突き出して押える押え部６４を備えて構成されている。
【００２４】
導光体８０は、中ケース４０に装着され、装飾の表示や光源からの光で照明を行う部品の一例であり、透明の透光性樹脂により形成される。導光体８０は、図２および図４に示すように、略直線の棒状に形成され、裏面には、入光部８０ａが等間隔に形成され、表側には、入光部８０ａの間にＶ字状の溝部８０ｂが形成されている。
導光体８０には、図４に示すように、中ケース４０の上辺側に突き出すとともに、裏側に突き出して位置決め用の凸部８１が長手方向に２箇所（片側は省略）形成してある。位置決め用の凸部８１は、ピン状に形成されている。また、凸部８１は、中ケース４０に取り付けられる見返し部材６０によって覆われる位置に形成されている。
導光体８０の入光部８０ａと対向して中ケース４０に光源８０ｃが設けられ、例えばＬＥＤから構成される。光源８０ｃは、回路基板３０に実装されている。光源８０ｃからの光は、入光部８０ａに入射され、Ｖ字状の溝部８０ｂによって反射されて左右に導光され、導光体８０により表示板５０の裏側から透過照明する。なお、凸部８１は、見返し部材６０を中ケース４０に取り付けることで覆われ、透過照明は見えないようになる（図２参照）。
【００２５】
中ケース４０には、導光体８０の位置決め用の凸部８１に対応して表側の上辺部に凹部４１が形成される。凹部４１は、図３に示すように、ピン状の凸部８１（図４参照）と嵌合する円筒状に形成されている。これにより、導光体８０の２カ所の凸部８１を中ケース４０の２カ所の凹部４１に嵌合することで、表裏方向に交差する平面（前後・左右方向の面）上での位置決めを行うことができる。なお、中ケース４０の凹部４１と導光体８０の凸部８１とは、凹部と凸部とを入れ替えて形成して位置決めできるようにしても良い。
【００２６】
中ケース４０の２つの凹部４１と、導光体８０の２つの凸部８１とで前後・左右方向の平面上での位置決めがなされた導光体８０は、表裏方向に固定する必要があり、見返し部材６０で覆うことで、押える。導光体８０の表側には、表示板５０が配置され、その表側に見返し部材６０が位置している。表示板５０には、中ケース４０の凹部４１と導光体８０の凸部８１とが嵌合位置決めされる部分に切り欠き部５３が形成される。表示板５０に形成する切り欠き部５３に代えて貫通孔を形成するようにしても良い。
見返し部材６０には、導光体８０を押えるため、図１（ｂ）に示すように、裏側に向かって突き出す押え部６４が形成してある。押え部６４は、中ケース４０の２つの凹部４１と、導光体８０の２つの凸部８１とが嵌合されて位置決めされる部分に形成してある。
これにより、導光体８０は中ケース４０に位置決めされた状態で、位置決めされた部分を見返し部材６０の押え部６４で押えることで、表裏方向が押えられ、前後・左右および表裏方向の全方向で固定される。
すなわち、導光体８０は、表示板５０が介在するため導光体８０の表面と見返し部材６０との間に表示板５０の厚みなどによる隙間が形成されるが、表示板５０の切り欠き部５３によって表示板５０を越えて裏側に見返し部材６０の押え部６４が突き出す（表示板５０を越える）ことで確実に固定することができる。
なお、押え部６４は、見返し部材６０に形成する場合に限らず、導光体８０に表側に突き出して押え部を形成するようにしても良く、導光体８０に形成する押え部によっても導光体８０の表面と見返し部材６０との間で表示板５０を越えた（貫通した）状態で隙間を埋めて確実に押えることができる。
【００２７】
このような表示装置１によれば、導光体８０と、中ケース４０と、表示板５０と、見返し部材６０と、を備え、導光体８０と中ケース４０との間のいずれか一方に互いを嵌合して位置決めする凹部４１を設け、いずれか他方に凹部４１に嵌合する凸部８１を設け、見返し部材６０で、凹部４１および凸部８１で位置決めされた導光体８０を押えて中ケース４０に固定するようにすることで、これまでのフック構造による固定に比べ大きなスペースを必要とせずに固定することができる。特に、中ケース４０の縁部分などに導光体８０を配置する場合にも簡単に固定することができる。また、表示板５０が導光体８０と見返し部材６０との間に介在する場合にも切り欠き部５３によって表示板５０が介在する影響を排除して確実に固定することができる。また、凹部４１と凸部８１と押え部６４とで固定することができ、フック構造に比べ金型設計が容易となり、製造も簡単となる。
【００２８】
また、本実施形態の表示装置１では、凸部８１が挿入される凹部４１には、凸部８１の挿入をガイドする誘導部４２を備えている。誘導部４２は、図１（ｂ）および図３に示すように、凹部４１の表側の周囲の一部に中心部に向かって低くなる傾斜面が形成され、傾斜面によってピン状の凸部８１を凹部４１にガイドするようにしてある。これにより、導光体８０を中ケース４０に組み付ける場合に、凸部８１が中ケース４０の凹部４１に対してずれても誘導部４２の傾斜面によって凹部４１の中心に向かってガイドされ、容易に組み立てることができる。
【００２９】
また、本実施形態の表示装置１では、導光体８０の両端部を押えるため、導光体８０の表側に表示板５０が載せられその表側に見返し部材６０を配置して押えるようにしている。見返し部材６０には、図１（ｃ）に示すように、裏側に突き出すようにリブ６５が形成してあり、リブ６５によって表示板５０を介して導光体８０を押えている。これにより、棒状で長い導光体８０であっても両端部の浮き上がりを防止して確実に中ケース４０に収容することができる。
【００３０】
以上の実施形態に係る表示装置１によれば、導光体８０をこれまでのフック構造による固定に比べ大きなスペースを必要とせずに中ケース４０に固定することができる。
これにより、導光体８０によって見返し部材６０の内側の上辺部のわずかなスペースで透過照明することができ、制御部による照明色や明るさなどの変更や点灯／消灯などにより、装飾性やデザイン性を高めて照明することができる。
また、表示装置１をコンパクトに構成することができる。
【００３１】
以上、実施形態とともに、具体的に説明したように、本発明の表示装置１によれば、中ケース（筐体）４０に装着され、装飾の表示や光源からの光で照明を行う導光体（部品）８０と、中ケース４０の前面側に設けられる見返し部材６０と、中ケース４０と見返し部材６０の間に設けられ、中ケース４０の前面側を覆う表示板５０と、を備える表示装置１であって、導光体８０と中ケース４０との間には、いずれか一方に互いを嵌合して位置決めする凹部４１を設け、いずれか他方に凹部４１に嵌合する凸部８１が設けられ、見返し部材６０は、凹部４１および凸部８１で位置決めされた導光体８０を押えて中ケース４０に固定するので、これまでのフック構造による固定に比べ大きなスペースを必要とせずに固定することができる。
これにより、導光体８０の固定が簡単にできスペースの確保が容易な表示装置１を提供することができる。
【００３２】
また、本発明の表示装置１によれば、見返し部材６０で押えられる導光体８０との間には、見返し部材６０と導光体８０のいずれか一方に凹部４１および凸部８１の嵌合位置で他方側に突き出して押える押え部６４を備えることで、凹部４１と凸部８１と押え部６４とで一層確実に導光体８０を固定することができ、フック構造に比べスペースの確保が容易となるとともに、金型設計が容易となり、製造も簡単となる。
【００３３】
本発明の表示装置１によれば、表示板５０は、凹部４１および凸部８１の位置に合わせて凸部８１を貫通させる切り欠き部５３または孔を備えることで、表示板５０が導光体８０と見返し部材６０との間に介在する場合にも切り欠き部５３によって表示板５０が介在する影響を排除して導光体８０を確実に固定することができる。
【００３４】
本発明の表示装置１によれば、凸部８１が挿入される凹部４１には、凸部８１の挿入をガイドする誘導部４２を備えることで、凸部８１が誘導部４２の傾斜面によって凹部４１の中心に向かってガイドされ、導光体８０を容易に組み立てることができる。
【００３５】
本発明の表示装置１によれば、適用対象は、光源８０ｃからの光を導光し、導光した光で表示板５０を透過照明する導光体８０で構成されることで、少ないスペースで導光体８０を固定することができ、表示装置１の装飾性やデザイン性を高めることができる。
【００３６】
なお、上記の実施形態では、中ケース４０に装着され、装飾の表示や光源からの光で照明を行う部品として、導光体８０を例に説明したが、導光体８０に限らず、他の部品の位置決め固定に適用することができる。例えば円形の表示装置の表示板の周囲を透過照明するリング部材と、リング部材の外周を囲む見返し部材と、を備える表示装置の場合には、リング部材の中ケースへの固定に適用することができ、大きなスペースを必要とせずにリング部材を凹部と凸部および見返し部材とで押えて位置決めし固定することができる。
また、本発明は、上記の実施形態に限定されることなく、種々の態様で実施することができる。
【符号の説明】
【００３７】
１        表示装置
１００    計器装置
１０      第１計器部
１１      指針
１１ａ    指示部
１１ｂ    指針キャップ
１２      指針用光源
１３      ステッピングモータ
２０      表示ディスプレイ
３０      回路基板
４０      中ケース（筐体）
４１      凹部
４２      誘導部
５０      表示板
５１      表示板用光源
５２      導光板
５３      切り欠き部
６０      見返し部材
６１      開口部
６２      弾性フック
６３      係止面
６４      押え部
６５      リブ
７０      下ケース
７１      係止枠
７２      係止面
８０      導光体（部品）
８０ａ    入光部
８０ｂ    溝部
８０ｃ    光源
８１      凸部
【図１】
2019060710.tif 000003
【図２】
2019060710.tif 000004
【図３】
2019060710.tif 000005
【図４】
2019060710.tif 000006
【図５】
2019060710.tif 000007
【図６】
2019060710.tif 000008